(57)【要約】【課題】建設工事等の工事における作業の進捗管理を行う際に、予算的観点からは工種別に、現場的観点からは工程別に、同一のデータを用いて必要なデータを抽出することができる、二系列の階層構造を用いた工事管理システム及び工事管理の方法を提供する。【解決手段】工種別及び工程別の二つの階層構造からなる管理体系を備え、いずれも同一の資源に関するデータと関連付けることにより、同一のデータを異なる観点から選択して抽出することが可能になる。これらの階層構造においては、下位のノードにおいてそれぞれ異なる系列に従った分割がなされているために、作業項目が同一となるノードを設けることが可能であり、このノードにおいて資源に関するデータを同一のデータと関連付けて利用することができる。【選択図】　　　　　図１
2004076404.tif 000002
【特許請求の範囲】
【請求項１】
工事に含まれる作業について工種別に階層化された管理体系を記録する工種別管理体系記録手段と、
前記作業について工程別に階層化された管理体系を記録する工程別管理体系記録手段と、
前記作業に必要な資源に関する情報を前記作業と関連付けて格納した資源情報格納手段と、
を備えた工事管理システムであって、
前記工種別に階層化された管理体系の下位層では工種別作業が工程別に分割されており、
前記工程別に階層化された管理体系の下位層では工程別作業が工種別に分割されていることを特徴とする工事管理システム。
【請求項２】
前記工種別に階層化された管理体系を工程別に展開して、前記工程別に階層化された管理体系を作成する工程別管理体系作成手段を備えることを特徴とする請求項１記載の工事管理システム。
【請求項３】
前記工程別管理体系作成手段は、前記工種別に階層化された管理体系に含まれる作業のうち工程別に分割可能な作業を工程別に分割して前記工程別に階層化された管理体系を作成することを特徴とする請求項２記載の工事管理システム。
【請求項４】
工程別に行う前記分割では、前記作業の対象となる物件に関する面積比で前記資源を按分し、新たに作成された作業と関連付けることを特徴とする請求項３記載の工事管理システム。
【請求項５】
工程別に行う前記分割では、前記作業の対象となる物件に関する作業の工数比で前記資源を按分し、新たに作成された作業と関連付けることを特徴とする請求項３記載の工事管理システム。
【請求項６】
前記工程別に階層化された管理体系を工種別に展開して、前記工種別に階層化された管理体系を作成する工種別管理体系作成手段を備えることを特徴とする請求項１記載の工事管理システム。
【請求項７】
前記工種別管理体系作成手段は、前記工程別に階層化された管理体系に含まれる作業のうち工種別に分割可能な作業を工種別に分割して前記工種別に階層化された管理体系を作成することを特徴とする請求項６記載の工事管理システム。
【請求項８】
工程別に作業を選択して前記資源に関する情報を参照する工程別作業選択手段と、
工種別に作業を選択して前記資源に関する情報を参照する工種別作業選択手段と、
を備えることを特徴とする請求項１乃至７記載の工事管理システム。
【請求項９】
工事に含まれる作業について工種別に階層化された管理体系をコンピュータに記録するステップと、
前記作業について工程別に階層化された管理体系をコンピュータに記録するステップと、
コンピュータが前記工種別に階層化された管理体系から前記工程別に階層化された管理体系を作成するステップと、
前記作業に必要な資源に関する情報を前記作業と関連付けてコンピュータに格納するステップと、
を有することを特徴とする工事管理の方法。
【請求項１０】
前記工程別に階層化された管理体系を作成するステップにおいては、前記工種別に階層化された管理体系に含まれる作業のうち工程別に分割可能な作業を工程別に分割して前記工程別に階層化された管理体系を作成することを特徴とする請求項９記載の工事管理の方法。
【請求項１１】
工事に含まれる作業について工種別に階層化された管理体系をコンピュータに記録するステップと、
前記作業について工程別に階層化された管理体系をコンピュータに記録するステップと、
コンピュータが前記工程別に階層化された管理体系から前記工種別に階層化された管理体系を作成するステップと、
前記作業に必要な資源に関する情報を前記作業と関連付けてコンピュータに格納するステップと、
を有することを特徴とする工事管理の方法。
【請求項１２】
前記工種別に階層化された管理体系を作成するステップにおいては、前記工程別に階層化された管理体系に含まれる作業のうち工種別に分割可能な作業を工種別に分割して前記工種別に階層化された管理体系を作成することを特徴とする請求項１１記載の工事管理の方法。
【発明の詳細な説明】
【０００１】
【発明の属する技術分野】
本発明は、建設工事等の工事における作業の進捗管理を行うための、二系列の階層構造を用いた工事管理システム及び工事管理の方法に関するものである。
【０００２】
【従来の技術】
建設工事等の作業の進捗管理を行う場合、作業途中の各時点で投入した資材や工数などの資源についての投入金額や投入量から、作業の進捗度合を把握することが一般的に行われている。これらの資源の投入金額等の管理は、予算的な観点からは、投入する資源別に切り分けた鉄筋工事、型枠工事などの作業の工種別に管理することが望ましい。一方、現場的な観点からは、実際の工事現場の各部位での進捗が把握できる１階工事、２階工事などの作業の工程別に管理することが望ましい。
【０００３】
このように工種別又は工程別に作業を分類して、各々の作業の進捗データを管理するために、コンピュータによってこれらの進捗データを管理するシステムにおいては、それぞれの作業をノードとして下位に位置する作業のノードを階層構造で構成した、ツリー構造によるデータ管理が行われている。このデータ構造において、下位に子となるノードを持たないリーフノードには該当する作業に関する進捗データが関連付けられており、それぞれのノードでは下位に存在するリーフノードに対応する進捗データを合計することにより、対応する作業の進捗データが参照できるよう構成されている。ここで進捗データの管理において、予算的な観点を重視する場合には、工種別の分類に沿ったツリー構造を設定し、現場的な観点を重視する場合には、工程別の分類に沿ったツリー構造が設定される。
【０００４】
このように、同じ資源に関する進捗データを管理する場合であっても、管理の観点によって分類の捉え方のニーズが異なるため、現状においては、予算管理を行う財務や購買などの部門には工種別のツリー構造を用いた管理システムを、現場管理を行う現業部門には工程別のツリー構造を用いた管理システムを、それぞれ別々に利用することが一般的になっている。
【０００５】
【発明が解決しようとする課題】
しかしながら、前記の二つの管理システムの対象となる作業自体は同一のものであり、それぞれ作業で用いられる資源も同一のものである。従って、それぞれが異なる管理システムを持つことは、システムの投資効率の面からは無駄が多く、またそれぞれのシステムにおいて進捗データを更新する必要が生じるため、データ管理の観点からも非効率である。
【０００６】
このような問題に対し、他の分野におけるデータ管理システムにおいて、二系列のツリー構造から同一のデータを検索することができるシステムも用いられている。例えば、飲食店の検索システムにおいては、飲食店の内容を紹介するデータに対して、住所とジャンルの二系列のノードを設定し、それぞれの系列から同一のデータに対して絞り込みが可能なシステムが利用されている。従って、工事管理システムにおいても、工種別及び工程別の二系列にノードを設定して、それぞれの系列から同一のデータを選択するように構成することも可能である。
【０００７】
しかし、前記の飲食店の検索システムであれば、検索される対象である飲食店の内容を紹介するデータは、いずれの系列から検索する場合においても同一のデータを対象にしているが、工事管理システムにおいては、それぞれの系列により選択されるデータの内容が異なるという問題がある。
【０００８】
例えば、工種別に選択される資源に関するデータは鉄筋工事、型枠工事のような工種別に括られているし、工程別に選択される資源に関するデータは１階工事、２階工事のような工程別に括られたものとなっている。従って、前者のリーフノードが鉄筋工事等の工種別で、後者のリーフノードが１階工事等の工程別であるならば、それぞれに関連付けられる資源に関する進捗データは異なるものとなってしまうため、二系列のツリー構造を併用するためには、いずれの系列から選択された場合にも同一のデータを利用できるように資源に関するデータの区分を設定することが必要である。
【０００９】
本発明は、これらの課題に対応してなされたものであり、建設工事等の工事における作業の進捗管理を行う際に、予算的観点からは工種別に、現場的観点からは工程別に、同一のデータを用いて必要なデータを抽出することができる、二系列の階層構造を用いた工事管理システム及び工事管理の方法を提供することを目的とする。
【００１０】
【課題を解決するための手段】
これらの課題を解決するために、本発明は、工事に含まれる作業について工種別に階層化された管理体系を記録する工種別管理体系記録手段と、前記作業について工程別に階層化された管理体系を記録する工程別管理体系記録手段と、前記作業に必要な資源に関する情報を前記作業と関連付けて格納した資源情報格納手段と、を備えた工事管理システムであって、前記工種別に階層化された管理体系の下位層では工種別作業が工程別に分割されており、前記工程別に階層化された管理体系の下位層では工程別作業が工種別に分割されていることを特徴とする。
【００１１】
この発明においては、工種別及び工程別の二つの階層構造からなる管理体系を有しており、いずれも同一の資源に関するデータと関連付けられているため、同一のデータを異なる観点から選択して抽出することが可能になる。また、二つの階層構造は異なる視点から設けられているために、工種別及び工程別それぞれの視点からの資源に関するデータの集計値を常時把握することもできる。これらの階層構造においては、下位のノードにおいてそれぞれ異なる系列に従った分割がなされているために、作業項目が同一となるノードを設けることが可能であり、このノードにおいて資源に関するデータを同一のデータと関連付けて利用することができる。
【００１２】
ここで工事には、主として建築工事、土木工事を含む建設工事の他に、電気工事、設備工事など、複数の作業から構成され、工種及び工程の二つの観点から管理が必要な全ての工事が含まれる。作業とは、工事を工種により分割した「鉄筋工事」や「型枠工事」、工事を工程により分割した「１階工事」や「２階工事」など、工事を構成する個々の単位を意味するものであり、ツリー構造の管理体系においてはノードに該当する要素となっている。これに対して資源とは、作業に投入する資材や工数などについての投入金額や投入量を意味するものであり、資源に関するデータは、ツリー構造の管理体系におけるリーフノードに該当する作業項目に関連付けられて記録されている。
【００１３】
工種別の管理体系においては、建設工事を「躯体工事」と「仕上工事」、「躯体工事」は「鉄筋工事」や「型枠工事」のように作業に関するノードが階層化され、下位層においては、これらが「１階鉄筋工事」「２階鉄筋工事」のように同一の工種について工程別に区分されたノードとなっている。一方、工程別の管理体系においては、「躯体工事」が「１階躯体工事」と「２階躯体工事」のように作業に関するノードが階層化され、下位層においては、これらが「１階鉄筋工事」「１階型枠工事」のように同一の工程について工種別に区分されたノードとなっている。これらの二系列のツリー構造では、例えば「１階鉄筋工事」において作業項目の内容が同一となるため、これらのリーフノードに対しては共通のデータを関連付けることが可能になる。
【００１４】
また、本発明は、前記工種別に階層化された管理体系を工程別に展開して、前記工程別に階層化された管理体系を作成する工程別管理体系作成手段を備えることを特徴とすることもできる。前記工程別管理体系作成手段は、前記工種別に階層化された管理体系に含まれる作業のうち工程別に分割可能な作業を工程別に分割して前記工程別に階層化された管理体系を作成することを特徴としてもよい。
【００１５】
工種別及び工程別の二系列のツリー構造に同一のデータを関連付けるためには、前記の通り両者に共通の作業項目を設定することが必要になる。予めそのように構成したツリー構造を作成して登録してもよいが、この構成ではそれぞれの系列に則したツリー構造を登録した後に、工種別に作成したツリー構造を工程別に展開することにより、工種別に作成されながら工程の要素も含むそれぞれの作業項目を、工程別に作成したツリー構造の該当部分にも作成することにより、共通の作業項目を設定して同一のデータを関連付けることができる。
【００１６】
前記の展開の方法としては、工種別に分類された作業項目に関するリーフノードのうち、工程別に分割可能なリーフノードを工程別に分割して、新たなリーフノードを作成することとすればよい。例えば、工種別に分類された「鉄筋工事」がリーフノードとなっていれば、工程に応じて「１階鉄筋工事」「２階鉄筋工事」のように分割して新たなリーフノードとすることができる。
【００１７】
工程別に行う前記分割では、前記作業の対象となる物件に関する面積比で前記資源を按分して、新たに作成された作業と関連付けることを特徴とすることができる。工程別に行う前記分割では、前記作業の対象となる物件に関する作業の工数比で前記資源を按分して、新たに作成された作業と関連付けることを特徴とすることもできる。
【００１８】
工種別に分類された作業項目を工程別に分割すると、これに対応する資源も工程に合わせて分割することが必要になる。しかしながら、資材や工数などの資源は通常は工種毎に管理されているため、工程別の配分は工程別に要する資源を一定の想定値として算出しなければならない。工程別の配分方法としては、対象となる物件毎の面積比や工数比で按分することにより、実態に近い比率で配分することができる。面積比や工数比を把握する方法としては、施工区域の体積比や部屋数比、作業に用いる資材の重量比等をこれらに類する数値として用いることとしてもよい。
【００１９】
尚、これらの比率を用いて自動的に按分することの他に、現場の作業の実情等を反映して、別途作成した比率を手動で入力したり、面積比等で機械的に算出した比率を手動で調整できるよう構成してもよい。
【００２０】
さらに、本発明は、前記工程別に階層化された管理体系を工種別に展開して、前記工種別に階層化された管理体系を作成する工種別管理体系作成手段を備えることを特徴とすることもできる。前記工種別管理体系作成手段は、前記工程別に階層化された管理体系に含まれる作業のうち工種別に分割可能な作業を工種別に分割して前記工種別に階層化された管理体系を作成することを特徴としてもよい。
【００２１】
前記の通り、工種別及び工程別の二系列のツリー構造に同一のデータを関連付けるためには、両者に共通の作業項目を設定することが必要になる。この構成ではそれぞれの系列に則したツリー構造を登録した後に、工程別に作成したツリー構造を工種別に展開することにより、工程別に作成されながら工種の要素も含むそれぞれの作業項目を、工種別に作成したツリー構造の該当部分に作成することにより、共通の作業項目を設定して同一のデータを関連付けることができる。
【００２２】
前記の展開の方法としては、工程別に分類された作業項目に関するリーフノードのうち、工種別に分割可能なリーフノードを工種別に分割して、新たなリーフノードを作成することとすればよい。例えば、工程別に分類されて「１階工事」がリーフノードとなっていれば、工種に応じて「１階鉄筋工事」「１階型枠工事」のように分割して、新たなリーフノードとすることができる。
【００２３】
さらに、本発明は、工程別に作業を選択して前記資源に関する情報を参照する工程別作業選択手段と、工種別に作業を選択して前記資源に関する情報を参照する工種別作業選択手段と、を備えることを特徴とすることもできる。
【００２４】
この構成においては、同一の資源に関する進捗データに対して、工程別及び工種別のツリー構造から、それぞれ作業に関するノードを選択して参照することができるので、同一のシステムを利用して、予算的な観点と現場的な観点から進捗管理を行うことができる。
【００２５】
さらに、本発明は、本発明にかかるそれぞれの構成の工事管理システムに対応して、それぞれのシステムを用いた工事管理の方法として構成することもできる。
【００２６】
【発明の実施の形態】
本発明の実施の形態について、図面を用いて以下に詳細に説明する。
【００２７】
図１、図２は、それぞれ本発明にかかる二系列の階層構造を用いた工事管理システム、従来の一系列の階層構造を用いた工事管理システムの構成を示すブロック図である。図３〜図７は、本発明にかかる二系列の階層構造を用いた工事管理システムで、それぞれ作業情報のうち属性情報を登録する画面、作業情報のうち資源情報を登録する画面、作業情報のうち下位作業を登録する画面、資源リストを登録する画面、作業を分割する場合の資源の配分比率を登録する画面の一例を示す図である。図８、図９は、本発明にかかる二系列の階層構造を用いた工事管理システムで、それぞれ工種別ツリーの作業を工程別に分割する場合、工程別に分割した作業を工程別ツリーに登録する場合の一例を示す図である。図１０は、本発明にかかる二系列の階層構造を用いた工事管理システムで、工種別ツリーから工程別ツリーを作成する場合の一例を示す図である。図１１は、本発明にかかる二系列の階層構造を用いた工事管理システムにおいて、作業及び資源を登録するフローチャートである。図１２は、本発明にかかる二系列の階層構造を用いた工事管理システムにおいて、工種別ツリーから工程別ツリーを作成するフローチャートである。
【００２８】
図２は、従来の一系列の階層構造を用いた工事管理システムの構成を示しており、工事管理システム１００の利用者は、作業を分類して作成したツリー構造について、端末機器２００からツリー設定部１６０においてツリー構造を構成するノードをツリー構造格納部１４０に格納し、併せて資源データ格納部１３０にはツリー構造格納部１４０に格納されたリーフノードに対応する資源に関するデータを格納する。
【００２９】
このようにツリー構造に基づくデータを設定すると、その後はツリー構造格納部１４０を参照してノードを選択し、資源データ格納部１３０で対応するデータを参照して進捗状況を把握することができる。従来のシステムを用いたこの構成においては、ツリー構造は一系列しか設けられないため、工種別、工程別に基づく進捗状況を把握したい場合には、それぞれについて別システムを設けなければならない。
【００３０】
これに対して、図１の本発明にかかる二系列の階層構造を用いた工事管理システムにおいては、ツリー構造格納部１４０に二系列のツリー構造を設定して、同一の資源データを利用することができるよう構成されている。
【００３１】
図１においては、本発明にかかる二系列の階層構造を用いた工事管理システ１００は、入力制御部１１０、表示制御部１２０、資源データ格納部１３０、ツリー構造格納部１４０、ツリー変換部１５０及びツリー設定部１６０から構成されている。ツリー構造格納部１４０には、工種ツリー格納部１４１及び工程ツリー格納部１４２が含まれている。入力制御部１１０は端末機器２００から操作することが可能であり、表示制御部１２０で参照可能となったデータは端末機器２００に表示することができる。図２の従来の一系列の階層構造を用いた工事管理システムと比較すると、ツリー構造格納部１４０に工種ツリー格納部１４１及び工程ツリー格納部１４２が含まれる点、ツリー変換部１５０が設けられている点が相違している。
【００３２】
工事管理システム１００の利用者は、作業を分類して作成したツリー構造について、端末機器２００から入力制御部１１０を介してツリー構造を構成する作業情報に関するノードを入力し、ツリー設定部１６０はこれらのノードからツリー構造を作成してツリー構造格納部１４０に格納する。ここで、ツリー構造格納部１４０には、工種ツリー格納部１４１及び工程ツリー格納部１４２にそれぞれ工種別、工程別に設けられたツリー構造を構成するノードが格納される。
【００３３】
併せて端末機器２００から入力制御部１１０を介して資源に関する分類情報等とそれぞれの作業情報に対応した資源に関する情報を入力すると、ツリー設定部１６０は工種ツリー格納部１４１及び工程ツリー格納部１４２のいずれか一方のリーフノードに対応させて、該当する資源に関するデータを資源データ格納部１３０に格納する。ここで入力される資源に関するデータには、一般的には資源に関する計画数量を金銭ベースで表した計画値が用いられる。
【００３４】
図３〜図６は、これらの作業情報や資源に関する情報を入力する画面の例を示している。利用者の操作する端末機器２００から、図３の画面より作業に関する日程等の基本情報を入力し、その作業がリーフノードに該当する場合は、図４の画面より対応する資材や工数などの資源に関する金銭的な情報を入力する。その作業がリーフノードに該当しない場合には、図５の画面より下位の作業項目を特定して入力する。また、資源については図６の画面から分類等の基本情報を入力する。
【００３５】
次に、二系列のツリー構造に同一の資源に関するデータを関連付けるための手順として、端末機器２００から入力制御部１１０を介してツリー変換部１５０を操作し、工種ツリー格納部１４１及び工程ツリー格納部１４２に同一のリーフノードを作成する作業を行うことが必要になる。
【００３６】
工種ツリー格納部１４１に記録したノードに資源に関する情報を対応させた場合を例に考えると、ツリー変換部１５０においては、工種ツリーのリーフノードに該当する作業項目について工程別に分割を行う。工程別に分割した作業項目を新たなリーフノードとして資源に関するデータと関連付けることにより、工種ツリーと工程ツリーのいずれからも同一の資源に関するデータにアクセスすることが可能になる。
【００３７】
図８、図９では、工種別ツリーの作業項目を工程別に分割し、工程別に分割した作業項目を工程別ツリーに登録する場合の一例を示している。図８では、「鉄筋工事」という作業項目に関するノードが存在しているが、１階、２階という工程別に分割することにより、「鉄筋１Ｆ」「鉄筋２Ｆ」というノードが作成され、これらのノードがリーフノードとなって、資源に関するデータと関連付けられる。
【００３８】
ここで、資源に関するデータについても、工程別に分割を行うことが必要になる。図７は、作業項目に対応する資源を分割する条件を入力する画面の一例であるが、一定の配分比率を設定することにより、資材や工数の数量がこれらの配分比率に応じて按分される。ここで配分比率の設定には、工程に対応する物件の面積比や、工程に要する工数の人月数などの比率を用いることができる。
【００３９】
図９では、工程別に分割された「鉄筋１Ｆ」「鉄筋２Ｆ」の作業項目に関するノードを、工程別ツリーに存在する「１Ｆ工事」「２Ｆ工事」の作業項目に関するノードの下位作業として登録している。この例では、併せて「型枠１Ｆ」「型枠２Ｆ」の作業項目に関するノードが、同じく「１Ｆ工事」「２Ｆ工事」の作業項目に関するノードの下位作業として登録されており、例えば「１Ｆ工事」全体の資源に関する情報を参照したい場合には、「鉄筋１Ｆ」と「型枠１Ｆ」のリーフノードに対応するデータを抽出して合計することにより、工程別に進捗データを把握することが可能になる。
【００４０】
尚、分割された作業項目が工程別ツリーに登録された後にも、これらの分割された作業項目に関するリーフノードは、工種別ツリーにおいても引続き同じ位置に維持される。進捗状況を予算別に集計して把握したい場合には、一般的に予算は工種別に管理されているため、工種別ツリーを選択することにより工種別の進捗データを把握するよう設定しておくことが必要なためである。
【００４１】
図１０においても、本発明にかかる二系列の階層構造を用いた工事管理システムで、工種別ツリーから工程別ツリーを作成する場合の例を示している。この例では、工種別に設定された「鉄筋工事」が、工程別の「本体鉄筋工事」と「雑鉄筋工事」に分割されている。工程別ツリーにおいては、工程別に設定された「本体工事」の下位に、分割して作成された「本体鉄筋工事」と工種別では独立して存在していた「型枠工事」が登録されている。一方、分割して作成された「雑鉄筋工事」は「本体工事」とは独立した位置に登録されている。
【００４２】
ここでの作業登録のシーケンスについては、図１０に示したような「ごみ箱」を使用した方法により、登録にかかる作業を効率化することもできる。この方法では、工種ツリー、工程ツリーをそれぞれ作成するとともに、それぞれのツリーを作成した段階で生じたノードにＩＤ番号を付与する。その上で、それぞれのツリーではカテゴリが異なるので使用しないノードも登録するとともに、ツリー構造上の管理体系から外れたノードを収納するための「ごみ箱」を作成して、「ごみ箱」の下位に置くことで、ツリー構造の管理体系から外すこととする。
【００４３】
例えば図１０の工種ツリーでは、工程ツリーで作成されたノードである「本体工事」が工種ツリーにも登録されている。しかしながら、「本体工事」は工種ツリーの管理体系上からは外れた「ごみ箱」の下位に置かれており、資源に関するデータとは関連付けられていない。同様に、工程ツリーにおいても、工種ツリーで作成されたノードである「鉄筋工事」が登録され、「ごみ箱」の下位に置かれている。
【００４４】
このような構成にすると、例えば図１０のように、工種ツリーにおいて「鉄筋工事」の下位に「本体鉄筋工事」と「雑鉄筋工事」のノードが分割して作成された場合に、工程ツリーにおいても同じＩＤ番号（０００１）を持つ「鉄筋工事」のノードが分割されるよう設定しておくと、工程ツリーにおいても分割されたノードが自動的に作成されるため、生成されたノードを工程ツリー上の該当する部分に移動することにより、二つのツリーを関連付けながら容易に作成することができる。
【００４５】
ここで付与されたＩＤ番号をポインタとして設定し、資源データ格納部１５０において対応するデータの格納場所を特定することもできる。図１０の例では、リーフノードのＩＤである「０００１−１」「０００１−２」「０００２」が、資源に関するデータと対応付けられている。
【００４６】
このようなツリー変換部１５０における操作により、ツリー構造格納部１４０に二系列のツリーに関するデータが格納されると、予算的な観点からデータを把握したい利用者は、端末機器２００から入力制御部１１０を介して工種ツリー格納部１４１にアクセスし、工種ツリー上のノードを選択して必要な情報を資源データ格納部１３０から抽出する。現場的な観点からデータを把握したい利用者は、端末機器２００から入力制御部１１０を介して工程ツリー格納部１４２にアクセスし、工程ツリー上のノードを選択して必要な情報を資源データ格納部１３０から抽出することができる。
【００４７】
さらに、工事が進捗して資源の利用実績が生じるようになると、この実績データを金銭ベースで把握して、端末装置２００より入力する。実績データの入力は、資源について使用した実績数量を端末装置２００より入力し、これに数量あたりの単価を乗じて金銭ベースの実績値を算出するよう構成してもよい。実績値は資源データ格納部１３０に計画値に対応して記録され、利用者は前記と同様にそれぞれのツリー構造からノードを選択することにより、工種別又は工程別に実績データを把握することもできる。ここで計画データと実績データを参照することにより、それぞれの作業の進捗度を判定することもできる。
【００４８】
尚、これまでの例においては、工程別ツリーの基準となる工程は、工事の部位や区分により区別されるものとして説明しているが、工程の区分は現場の工程管理に則した区分として、例えば下請け等の協力業者別に設定してもよい。
【００４９】
ここで、図１１のフローチャートを用いて、本発明にかかる二系列の階層構造を用いた工事管理システムにおいて、作業及び資源を登録するフローについて説明する。
【００５０】
まず、作業項目毎に、計画数量と単位数量あたりの計画単価、日程情報などの作業に関する計画情報のデータを入力する（Ｓ０１）。次に、それぞれの作業に対応する構成資源について、資源毎の計画数量や単位数量あたりの計画単価に関する計画情報のデータを入力する（Ｓ０２）。全ての資源が登録されると作業データの入力は完了するが、それまでは資源に関するデータの登録が繰り返される（Ｓ０３）。
【００５１】
作業データの入力が完了すると、それぞれの作業項目に関するノードを、工種別のツリーの該当する位置に登録する（Ｓ０４）。併せて、作業項目に関するノードを、工程別のツリーの該当する位置にも登録する（Ｓ０５）。これらのツリーへの登録順は順序を問わないが、全ての作業に関するノードを二系列のツリーへ登録すると初期情報の登録が終了し、登録されていない作業がある場合には、作業情報の入力に戻って登録が行われる（Ｓ０６）。
【００５２】
次に、図１２のフローチャートを用いて、本発明にかかる二系列の階層構造を用いた工事管理システムにおいて、工種別ツリーから工程別ツリーを作成するフローについて説明する。
【００５３】
図１１に示したフローにより初期情報の登録が行われると、工種別のツリーを参照して、下位に作業が登録されていないリーフノードとなっている作業項目を選択する（Ｓ１１）。これらの作業項目について複数の工程を含むか否かを検討し（Ｓ１２）、単一の工程であって複数の工程を含まない場合は、工程ツリーの該当部分に当該作業項目が登録される（Ｓ１７）。
【００５４】
一方、複数の工程を含む作業項目である場合は、工程別の作業項目に対応した新たなリーフノードを作成する（Ｓ１３）。併せて、元の作業項目に関連付けられていた資源に関するデータを、それぞれの工程に対応する物件の面積比や工数比で按分し、按分後のデータを新たに作成したリーフノードと関連付けて記録する（Ｓ１５）。
【００５５】
このように作成された新たな作業項目に関するリーフノードを工種別のツリーから選択し（Ｓ１６）、それぞれのリーフノードを工程別のツリーに登録する（Ｓ１７）。ここでの新たな作業項目に関するリーフノードの登録方法については、図１０の例で説明した通り、それぞれのツリーに同一のノードを登録し、リーフノードの分割が行われると相対するツリーにも新たなリーフノードを自動的に作成し、ツリー構造の管理体系から外れるノードを「ごみ箱」等の管理体系から外れた位置に登録するように構成してもよい。
【００５６】
このように、図１１及び図１２に示したフローにより、二系列のツリー構造と資源に関するデータが関連付けられると、以後は工種別又は工程別のそれぞれの区分により異なる観点から計画情報を参照したり、計画情報と実績情報を対比して分析したりすることが可能になる。
【００５７】
【発明の効果】
本発明により、主として建設工事などの工事の管理において作業の進捗管理を行う際に、予算的観点からは工種別に、現場的観点からは工程別に作業項目を選択して、計画データや実績データを参照することができるので、工事管理の効率化を図ることができる。
【００５８】
特に、従来の建設工事向けの管理システムは、主に予算的な観点から計画と実績を管理するものが一般的であったために、本発明により現場の事情に即した作業の進捗管理を行うことができるという効果が生じる。
【図面の簡単な説明】
【図１】本発明にかかる二系列の階層構造を用いた工事管理システムの構成を示すブロック図である。
【図２】従来の一系列の階層構造を用いた工事管理システムの構成を示すブロック図である。
【図３】本発明にかかる二系列の階層構造を用いた工事管理システムで、作業情報のうち属性情報を登録する画面の一例を示す図である。
【図４】本発明にかかる二系列の階層構造を用いた工事管理システムで、作業情報のうち資源情報を登録する画面の一例を示す図である。
【図５】本発明にかかる二系列の階層構造を用いた工事管理システムで、作業情報のうち下位作業を登録する画面の一例を示す図である。
【図６】本発明にかかる二系列の階層構造を用いた工事管理システムで、資源リストを登録する画面の一例を示す図である。
【図７】本発明にかかる二系列の階層構造を用いた工事管理システムで、作業を分割する場合の資源の配分比率を登録する画面の一例を示す図である。
【図８】本発明にかかる二系列の階層構造を用いた工事管理システムで、工種別ツリーの作業を工程別に分割する場合の一例を示す図である。
【図９】本発明にかかる二系列の階層構造を用いた工事管理システムで、工程別に分割した作業を工程別ツリーに登録する場合の一例を示す図である。
【図１０】本発明にかかる二系列の階層構造を用いた工事管理システムで、工種別ツリーから工程別ツリーを作成する場合の一例を示す図である。
【図１１】本発明にかかる二系列の階層構造を用いた工事管理システムにおいて、作業及び資源を登録するフローチャートである。
【図１２】本発明にかかる二系列の階層構造を用いた工事管理システムにおいて、工種別ツリーから工程別ツリーを作成するフローチャートである。
【符号の説明】
１００　　工事管理システム
１１０　　入力制御部
１２０　　表示制御部
１３０　　資源データ格納部
１４０　　ツリー構造格納部
１４１　　工種ツリー格納部
１４２　　工程ツリー格納部
１５０　　ツリー変換部
１６０　　ツリー設定部
２００　　端末機器
【図１】
2004076404.tif 000003
【図２】
2004076404.tif 000004
【図３】
2004076404.tif 000005
【図４】
2004076404.tif 000006
【図５】
2004076404.tif 000007
【図６】
2004076404.tif 000008
【図７】
2004076404.tif 000009
【図８】
2004076404.tif 000010
【図９】
2004076404.tif 000011
【図１０】
2004076404.tif 000012
【図１１】
2004076404.tif 000013
【図１２】
2004076404.tif 000014